(57)【特許請求の範囲】
【請求項１】
室内側と室外側を開口した方形状の換気扇枠体と、この換気扇枠体の内部に設けられるファンモータと、前記換気扇枠体の室外側の内側部に縦方向に設けられるシャッター支持板と、このシャッター支持板に支持軸を介して回動自在に支持され、常に閉鎖勝手に作用を受ける複数のシャッターと、この複数のシャッターを連結し開閉する開閉手段とを備え、前記シャッターの４周近傍を囲むようにほぼ４角形状に前記シャッターの表面側に膨出し、前記シャッター閉時の衝撃音を吸収する第１の突出部と、この第１の突出部の内側間に連設され、前記衝撃音を減衰させる線状の第２の突出部を形成した換気扇。
【請求項２】
シャッターの表面に膨出して形成される突出部の断面形状を円弧状に形成し円弧状の突出部とした請求項１記載の換気扇。
【発明の詳細な説明】
【０００１】
【発明の属する技術分野】
本発明は、外気流入を防止するシャッターを有した換気扇に関する。
【０００２】
【従来の技術】
近年、換気扇のシャッターは外気流入を防止するために、シャッター同士が重なり合っている。そのため換気扇のシャッターを閉じる際の、シャッター同士の衝突によって起こる衝撃音を低減することが求められている。
【０００３】
従来の換気扇の一例について図７および図８を参照しながら説明する。
図に示すように、換気扇枠体１０１の内側に長尺状のシャッター支持板１０２を設け、シャッター支持板１０２に各シャッター１０３の両側を折り曲げ加工されたアーム部１０４を支持軸１０５により支持し、各アーム部１０４の後端には軸１０６によってシャッター連結板１０７に連結され、シャッター１０３の下端部１０８および換気扇枠体１０１の下側折り曲げ部１０９に切り欠きを設け、一般に、ゴム等で形成された緩衝材１１０を取り付けていた。
【０００４】
上記構成において、シャッター１０３を閉じる際には、シャッター連結板１０７が上方に動くよう働かされ、シャッター１０３は支持軸１０５を中心に回転し閉じられる。その際シャッター１０３の下端部１０８がシャッター１０３の上側部１１１および換気扇枠体１０１の下側折り曲げ部１０９に直接当たることなく緩衝材１１０を介して、シャッターが閉じられるようになされていた。
【０００５】
【発明が解決しようとする課題】
このような従来の換気扇では、緩衝材１１０はシャッター１０３および換気扇枠体１０１の切り欠きに鋏み込まれているため繰り返し行われる開閉の衝撃に脱落する恐れがあるとともに別部品として緩衝材１１０が必要があった。
【０００６】
本発明は上記課題を解決するもので、緩衝材等の部品を用いずにシャッター閉時の衝撃音の低減が図れる換気扇を提供することを第１の目的とする。
【０００７】
第２の目的はシャッター閉時の衝撃音の残響時間を短くすることにある。
第３の目的は加工後のシャッターの反りを抑制することにある。
【０００８】
第４の目的は加工の成形性を向上することにある。
【０００９】
【課題を解決するための手段】
本発明の換気扇においては、内部にファンモータを設けた換気扇枠体の室外側に設けられ、常に閉鎖勝手に作用を受ける複数のシャッターに、シャッターの４周近傍を囲むようにほぼ４角形状にシャッターの表面側に膨出し、シャッター閉時の衝撃音を吸収する第1の突出部を形成した構成としたものである。
【００１０】
この本発明によれば、緩衝材等の部品を用いずにシャッターの閉時の衝撃音の低減が図れる換気扇を提供することができる。
【００１１】
【発明の実施の形態】
本発明の請求項１に記載の発明は、室内側と室外側を開口した方形状の換気扇枠体と、この換気扇枠体の内部に設けられるファンモータと、前記換気扇枠体の室外側の内側部に縦方向に設けられるシャッター支持板と、このシャッター支持板に支持軸を介して回動自在に支持され、常に閉鎖勝手に作用を受ける複数のシャッターと、この複数のシャッターを連結し開閉する開閉手段とを備え、前記シャッターの４周近傍を囲むようにほぼ４角形状に前記シャッターの表面側に膨出し、前記シャッター閉時の衝撃音を吸収する第１の突出部と、この第１の突出部の内側間に連設され、前記衝撃音を減衰させる線状の第２の突出部を形成した換気扇の構成としたものであり、シャッターの閉時にはシャッターの下端部がシャッターおよび換気扇枠体に当接し、このとき発生する衝撃音は、シャッターの表面に膨出した４角形状に配設された第１の突出部によって衝撃音が吸収され、シャッター閉時に発生する騒音の低減が図れるとともに、いったん発生した騒音が第１の突出部の内側に設けた第２の突出部を通る間に減衰され、騒音の残響時間が短くなるという作用を有す
る。
【００１２】
以下、本発明の実施の形態について、図１〜図６を参照にしながら説明する。
（実施の形態）
図１および図２に示すように、室内側と室外側が開口した方形状の換気扇枠体１の内部に羽根２を駆動するモータ３よりなるファンモータ４を設け、換気扇枠体１の室内側開口部５には羽根２の風胴となるオリフィス６を設け、換気扇枠体１の室外側開口部７には換気扇枠体１の内側部の縦方向に帯状のシャッター支持板８を設け、外気の流入を防止するための複数のシャッター９がシャッター支持板８に設けた支持軸１０を介して回動できるようにシャッター９の両側にアーム部１１を設け、このアーム部１１を介して回動自在に設ける。
【００１３】
そして、シャッター９の表面に表面側に膨出する第１の突出部１２をシャッター９の４周近傍を囲むようにほぼ４角形状に配設し、シャッター９のアーム部１１の端部をシャッター連結板１３で連結し、常にシャッター９を閉鎖勝手に作用する復帰用ばね１４を設け、シャッター連結板１３を引紐１５により操作できるスイッチ１６および作動板１７によりなる開閉手段１８に連結する。
【００１４】
上記構成において、開閉手段１８の引紐１５を引くとスイッチ１６は電源が入り状態となりモータ３が回転すると同時に作動板１７を介してシャッター連結板１３が復帰用ばね１４のばね圧に抗して引き下げられ、シャッター９は支持軸１０を支点に回動してシャッター９は開放され保持される。
【００１５】
次に、換気扇の運転を停止するため引紐１５を操作するとモータ３の運転が停止されると同時に復帰用ばね１４の作用によりシャッター連結板１３は上方に移動し、シャッター９は支持軸１０を支点に回動して換気扇枠体１の室外側開口部７を閉鎖する。このとき、シャッター９の下端部１９は、その下側のシャッター９の上端部２０に、また下側のシャッター９の下端部１９は換気扇枠体１の下端折り曲げ部２１に当接する。
【００１６】
そして、当接とともに発生する衝撃音はシャッター９の表面に４角形状に配設した第１の突出部１２により吸収され衝撃音は緩和され低減される。
【００１７】
なお、本発明の実施の形態１の換気扇のシャッター９の開閉手段１８は引紐連動式を用いて説明したが、モータ３の回転力によりシャッター９を開閉する電気式あるいは風圧によりシャッター９を開閉する風圧式においても同様の作用効果もたらすことはいうまでもない。
【００１８】
（実施の形態２）
図３および図４に示すように、シャッター９Ａの表面に４角形状に配設される第１の突出部１２Ａの内側の第１の突出部１２Ａの対向する間に線状の第２の突出部２２を第１の突出部１２Ａに連設して形成する。
【００１９】
上記構成において、シャッター９Ａの閉時に発生する衝撃音は実施の形態１と同様に４角形状の第１の突出部１２Ａにおいて吸収されるとともに、さらに第１の突出部１２Ａの内側に設けた第２の突出部２２を通る間に減衰されることとなる。
【００２０】
そして、シャッター閉時に発生する衝撃音の大きさと減衰時間の状況は従来品の場合は、図４（ｂ）に示すように衝撃音の発生時の大きさが大きく減衰時間も遅いものであったが、実施の形態２の場合には、図４（ａ）に示すように衝撃音の発生時の大きさが小さくなるとともに減衰時間も速くなるように減衰されることとなる。
【００２１】
このように本発明の実施の形態２の換気扇によれば、シャッター閉時に発生する衝撃音が４角形状の第１の突出部１２Ａに加え直線状の第２の突出部２２を設けることによりさらに衝撃音が減衰され、シャッター閉時の騒音の残響時間を短くすることができる。
【００２２】
なお、実施の形態２においては直線状の突出部２２を１本設けたものを用いて説明したが、複数本設けても良いということはいうまでもない。
【００２３】
（実施の形態３）
図５に示すように、シャッター９Ｂの表面に４角形状に配設される第１の突出部１２Ｂの内側に第１の突出部１２Ｂ間に連設される対向線状となる第３の突出部２３と対角線状となる第４の突出部２４を形成する。
【００２４】
上記構成において、シャッター９Ｂの閉時に発生する衝撃音は４角形状の第１の突出部１２Ｂと対向線状の第３の突出部２３および対角線状の第４の突出部２４により吸収され減衰されるとともに、各突出部がほぼ３角形状を形成することにより、シャッター９Ｂに突出部を形成するために加工する際に生じるねじれを伴う反りの発生が突出部の三角形状によりねじれの力が分散されることとなる。
【００２５】
このように本発明の実施の形態３の換気扇によれば、シャッター９Ｂに形成される第１の突出部１２Ｂと第３の突出部２３および第４の突出部２４により突出部がほぼ３角形状に配設されることとなり、加工時に生じるねじれによる反りが分散され、シャッター９Ｂの反りが防止され加工不良をなくすことができる。
【００２６】
（実施の形態４）
図６に示すように、シャッター９Ｃの表面に膨出して形成される突出部の断面形状を円弧状に形成し、円弧状の突出部２５を形成する。
【００２７】
上記構成において、シャッター９Ｃの表面に設けられる円弧状の突出部２５を成形加工して形成するときに生じる歪みは円弧状の突出部２５の円弧面に沿ってほぼ均一に逃がすことができ、凹凸によって生じるしわをなくすことができる。
【００２８】
このように本発明の実施の形態４の換気扇によれば、膨出して加工する際に発生する歪みを円弧状に形成することによってほぼ均一に逃がすことができ、膨出し加工する際のしわの発生が防止され、シャッターの成形性の向上を図ることができる。
【００２９】
なお、実施の形態４に対応する図面では４角形状の第１の突出部のみを円弧状の突出部２５とした形状としているが、第２〜第４の突出部の形状を円弧状の突出部２５としても良いということはいうまでもない。
【００３０】
【発明の効果】
以上のように本発明によれば、室内側と室外側を開口した方形状の換気扇枠体と、この換気扇枠体の室内側の内側部に設けられるシャッター支持板と、このシャッター支持板に支持軸を介して回動自在に支持され、常に閉鎖勝手に作用を受ける複数のシャッターと、この複数のシャッターを連結し開閉する開閉手段とを備え、前記シャッターの４周近傍を囲むようにほぼ４角形状に前記シャッターの表面側に膨出し、前記シャッター閉時の衝撃音を吸収する第１の突出部を形成したので、緩衝材等の部品をを用いずにシャッター閉時の騒音の低減を図ることのできる換気扇を提供できる。
【００３１】
また、シャッターの表面に４角形状に配設される第１の突出部の内側に、前記第１の突出部間に連設される線状の第２の突出部を形成したので、シャッター閉時の衝撃音の残響時間を短くすることができる。
【００３２】
また、シャッターの表面に４角形状に配設される第１の突出部の内側に、前記第１の突出部間に連設される対向線状となる第３の突出部と対角線状となる第４の突出部を形成したので、三角形状の突出部の組み合せ状態となり、シャッター加工時の反りを防止することができる。
【００３３】
また、シャッターの表面に膨出して形成される突出部の断面形状を円弧状に形成し、円弧状の突出部としたので、膨出し加工する際のしわの発生を防ぐことができシャッターの成形性の向上を図ることができる。
【図面の簡単な説明】
【図１】本発明の実施の形態１の換気扇の構成を示す側面断面図
【図２】同換気扇のシャッターの構成を示す斜視図
【図３】本発明の実施の形態２の換気扇のシャッターの構成を示す斜視図
【図４】（ａ）同換気扇のシャッター閉時の衝撃音の状況を示すグラフ
（ｂ）従来の換気扇のシャッター閉時の衝撃音の状況を示すグラフ
【図５】本発明の実施の形態３の換気扇のシャッターの構成を示す斜視図
【図６】本発明の実施の形態４の換気扇のシャッターの構成を示す斜視図
【図７】従来の換気扇の構成を示す側面断面図
【図８】同換気扇の構成を示す斜視図
【符号の説明】
１      換気扇枠体
４      ファンモータ
８      シャッター支持板
９      シャッター
９Ａ    シャッター
９Ｂ    シャッター
９Ｃ    シャッター
１０    支持軸
１２    第１の突出部
１２Ａ  第１の突出部
１２Ｂ  第１の突出部
１８    開閉手段
２２    第２の突出部
２３    第３の突出部
２４    第４の突出部
２５    円弧状の突出部
【図１】
0003853026.tif 000002
【図２】
0003853026.tif 000003
【図３】
0003853026.tif 000004
【図４】
0003853026.tif 000005
【図５】
0003853026.tif 000006
【図６】
0003853026.tif 000007
【図７】
0003853026.tif 000008
【図８】
0003853026.tif 000009